(57)【要約】 【課題】  高効率で、小型化の圧電式冷陰極管点灯装置を提供する。【解決手段】  巻線トランスＴ３を用い、圧電トランスＰＴ２を駆動する圧電式冷陰極管点灯装置において、巻線トランスＴ３のリーケージインダクタンスと圧電トランスＰＴ２の入力容量を共振させ、圧電トランスＰＴ２を駆動する。【選択図】  図１
2005322481.tif 000002
【特許請求の範囲】
【請求項１】
巻線トランスを用い、圧電トランスを駆動する圧電式冷陰極管点灯装置において、前記巻線トランスのリーケージインダクタンスと前記圧電トランスの入力容量を共振させ、前記圧電トランスを駆動することを特徴とする圧電式冷陰極管点灯装置。
【請求項２】
前記巻線トランスから発生するリーケージインダクタを用いたことを特徴とする請求項１記載の圧電式冷陰極管点灯装置。
【請求項３】
前記巻線トランスの２次巻線と前記圧電トランスの間に、コンデンサ及びインダクタを少なくとも１個以上設けたことを特徴とする請求項１又は２記載の圧電式冷陰極管点灯装置。
【発明の詳細な説明】
【技術分野】
【０００１】
本発明は、圧電式冷陰極管点灯装置に関し、特に圧電トランス搭載した冷陰極管点灯用インバータに関する。
【背景技術】
【０００２】
従来、この種の冷陰極管点灯用インバータには、巻線トランスにたまったエネルギーを放出することにより共振を得るタイプがある。図６に示すように、スイッチＳＷ１とスイッチＳＷ２は、交互にオン、オフし、
（１）スイッチＳＷ１がオンの期間中に巻線トランスＴ１にエネルギーが蓄積される。
（２）スイッチＳＷ２がオン、スイッチＳＷ１がオフと同時に、巻線トランスＴ１にたまったエネルギーが放出され、圧電トランスＰＴ１の入力容量との間で共振状態になる。
（３）スイッチＳＷ１がオン、スイッチＳＷ２がオフすると、（２）の期間に巻線トランスＴ２にたまった電力が放出され、圧電トランスＰＴ１の入力容量との間で共振状態になる。以上の動作の繰り返しにより、圧電トランスの入力端子両端に正弦波が入力され圧電トランスの出力に電力が発生する。
【０００３】
また、従来の他の例の冷陰極管点灯用インバータには、巻線トランスの出力にインダクタをつけて、インダクタのインダクタンスＬと圧電トランスの入力容量で共振を得るタイプがある。図７に示すように、
（１）巻線トランスＴ３の入力巻線に方形波が入力される。
（２）巻線トランスＴ３の出力巻線に方形波が出力される。
（３）出力はインダクタＬ１を通り圧電トランスＰＴ２の入力に入る。
このとき、インダクタＬ１と圧電トランスＰＴ２の入力容量とで共振し圧電トランスの入力端子両端に正弦波が入力され圧電トランスの出力に電力が発生する。
【０００４】
しかし、上記の従来例では、巻線トランスが２個必要となるため、小型化に適さないという欠点があった。また、従来の他の例では、共振用インダクタは比較的大きなインダクタンスが必要になるため、サイズアップ、及び同部での電力損失が増加し効率が低くなり、悪化するという欠点があった。
【発明の開示】
【発明が解決しようとする課題】
【０００５】
バックライト用冷陰極管は、高輝度化、ロング（管の長尺）化が進んでおり、圧電式冷陰極管点灯装置には高効率、小型化が求められていた。
【０００６】
本発明は、上記の課題を解決し、高効率で、小型化の圧電式冷陰極管点灯装置を提供することにある。
【課題を解決するための手段】
【０００７】
本発明は、巻線トランスを用い、圧電トランスを駆動する圧電式冷陰極管点灯装置において、前記巻線トランスのリーケージインダクタンスと前記圧電トランスの入力容量を共振させ、前記圧電トランスを駆動することを特徴とする圧電式冷陰極管点灯装置である。
【０００８】
また、本発明は、前記巻線トランスから発生するリーケージインダクタを用いたことを特徴とする上記の圧電式冷陰極管点灯装置である。
【０００９】
また、本発明は、前記巻線トランスの２次巻線と前記圧電トランスの間に、コンデンサ及びインダクタを少なくとも１個以上設けたことを特徴とする上記の圧電式冷陰極管点灯装置である。
【００１０】
即ち、本発明では、リーケージインダクタンスが共振用インダクタと同様の効果を巻線トランス内に形成し、リ−ケージインダクタンスと圧電トランスの入力容量を共振させることにより、圧電トランスの入力に交流を発生させ、圧電トランスの出力に電力を発生させる。
【発明の効果】
【００１１】
上記のように、本発明によれば、高効率で、小型の圧電式冷陰極管点灯装置を提供することができる。
【００１２】
即ち、共振用インダクタが不要となったため、同部での電力損失が無くなり効率が上がった。また、巻線トランス１個で圧電トランスを駆動することが可能となったため、部品点数が減り小型化が可能となった。
【発明を実施するための最良の形態】
【００１３】
本発明の冷陰極管点灯用インバータでは、巻線トランスのリーケージインダクタンス値を大きくとったトランスの出力端に圧電トランスの入力を接続する事により、共振用インダクタと同様の効果を巻線トランス内に形成し、リ−ケージインダクタと圧電トランスの入力容量を共振させることにより、圧電トランスの入力に交流を発生させ、圧電トランスの出力に電力を発生させる。
【実施例１】
【００１４】
図１は、本発明の実施例１の冷陰極管点灯用インバータの回路図である。この例は、フルブリッジ回路にて駆動する場合である。図１に示すように、
（１）スイッチＳＷ３とスイッチＳＷ６がオン、及びスイッチＳＷ４とスイッチＳＷ５がオンを繰り返す。
（２）巻線トランス（電磁トランス）Ｔ３の入力巻線には正方向及び逆向きの電流が交互に流れる。
（３）出力巻線にも同様の電力が発生するが、リーケージインダクタＬｇとトランスの入力容量が直列につながっているため、共振現象が発生し圧電トランスＰＴ２の入力端子に正弦波が入力され冷陰極管１０が点灯する。
【実施例２】
【００１５】
図２は、本発明の実施例２の冷陰極管点灯用インバータの回路図である。この例は、プッシュプル回路にて駆動する場合である。図２に示すように、
（１）スイッチＳＷ７とスイッチＳＷ８が交互にオンする。
（２）巻線トランスＴ３の２つの入力巻線に交互に電流が流れる。
（３）出力巻線には正負の電力が発生するが、リーケージインダクタＬｇとトランスＴ３の入力容量が直列につながっているため、共振現象が発生し圧電トランスＰＴ２の入力端子に正弦波が入力され冷陰極管１０が点灯する。
【００１６】
実施例１、実施例２の通り巻線トランスの入力側には、いくつものバリエーションが存在するが、本発明は、巻線トランスの出力側巻線にリーケージインダクタンスを持たせて圧電トランスの入力容量と共振させるというものであるので、巻線トランスの入力側の構成はこれに限定されない。
【００１７】
以下にリーケージインダクタンスと圧電トランスの入力容量で発生する共振において、その共振周波数を調整するための回路を示す。
【実施例３】
【００１８】
図３は、本発明の実施例３の冷陰極管点灯用インバータの回路図である。図３に示すように、共振周波数を調整するために、コンデンサＣ１を並列に追加することもできる。
【実施例４】
【００１９】
図４は、本発明の実施例４の冷陰極管点灯用インバータの回路図である。図４に示すように、共振周波数を調整するために、インダクタＬ３を直列に追加することもできる。この場合、インダクタＬ３のインダクタンス値がリーケージインダクタＬｇのインダクタに対し十分小さい場合は、実装面積や効率を大幅に悪化させることなく、共振周波数を調整することが可能である。
【実施例５】
【００２０】
図５は、本発明の実施例５の冷陰極管点灯用インバータの回路図である。図５に示すように、共振周波数を調整するために、コンデンサＣ２を直列に追加することもできる。
【実施例６】
【００２１】
共振周波数を調整するために、実施例３、実施例４、実施例５を組み合わせて使うこともできる。即ち、実施例３のコンデンサＣ１、実施例４のインダクタＬ３、実施例５のコンデンサＣ２のうち、いずれか２個以上を組み合わせて共振周波数を調整することができる。
【００２２】
なお、従来例の場合、効率が８３％であったが、実施例１で８９％に改善できた。また、圧電トランスの駆動部面積で、約４０％減少させることができた。
【図面の簡単な説明】
【００２３】
【図１】本発明の実施例１の冷陰極管点灯用インバータの回路図。
【図２】本発明の実施例２の冷陰極管点灯用インバータの回路図。
【図３】本発明の実施例３の冷陰極管点灯用インバータの回路図。
【図４】本発明の実施例４の冷陰極管点灯用インバータの回路図。
【図５】本発明の実施例５の冷陰極管点灯用インバータの回路図。
【図６】従来の冷陰極管点灯用インバータの回路図。
【図７】従来の他の例の冷陰極管点灯用インバータの回路図。
【符号の説明】
【００２４】
１０    冷陰極管
Ｃ１、Ｃ２    コンデンサ
Ｌ１、Ｌ３    インダクタ
Ｌｇ    リーケージインダクタ
ＰＴ１、ＰＴ２    圧電トランス
ＳＷ１、ＳＷ２、ＳＷ３、ＳＷ４、ＳＷ５、ＳＷ６、ＳＷ７、ＳＷ８    スイッチ
Ｔ１、Ｔ２、Ｔ３    巻線トランス
【図１】
2005322481.tif 000003
【図２】
2005322481.tif 000004
【図３】
2005322481.tif 000005
【図４】
2005322481.tif 000006
【図５】
2005322481.tif 000007
【図６】
2005322481.tif 000008
【図７】
2005322481.tif 000009